(57)【要約】【課題】集音の目的とする対象からの音と周囲からの音の両方を集めることが可能で且つコンパクトなマイクロフォン装置、及びそれを具えた携帯型レコーダを提供する。【解決手段】本発明の一実施形態に係る携帯型レコーダにおいて、マイクロフォン装置は、ケーシング３の内部に、左右一対の指向性マイクロフォン２１，２２と、左右一対の無指向性マイクロフォン２３，２４とを収容して構成されている。一対の無指向性マイクロフォン２３，２４は、それらの集音方向Ｃ，Ｄがケーシング３の両側面壁３Ｃ，３Ｄから外側へ向く様に配備される一方、一対の指向性マイクロフォン２１，２２は、それらの集音方向Ａ，Ｂがケーシング３の前面壁３Ａから外側へ向くと共に該前面壁３Ａの近傍で互いに交差する様に配備されている。一対の無指向性マイクロフォン２３，２４によって挟まれた空間に、一対の指向性マイクロフォン２１，２２の一部が収容されている。【選択図】図６
2010114580.tif 000002
【特許請求の範囲】
【請求項１】
ケーシングの内部に、集音方向に関して高い指向性を有する左右一対の指向性マイクロフォンと、集音方向に関して指向性の低い左右一対の無指向性マイクロフォンとを収容して構成されるマイクロフォン装置であって、
前記一対の無指向性マイクロフォンは、それらの集音方向が前記ケーシングの両側面壁から外側へ向く様に配備される一方、前記一対の指向性マイクロフォンは、それらの集音方向が前記ケーシングの前面壁から外側へ向くと共に該前面壁の近傍で互いに交差する様に配備され、
前記一対の無指向性マイクロフォンによって挟まれた空間に、前記一対の指向性マイクロフォンの全部若しくは一部が収容されているマイクロフォン装置。
【請求項２】
前記一対の指向性マイクロフォンはそれぞれ、互いに逆方向を向いた第１集音面と第２集音面とを有し、第１集音面は前記ケーシングの前面壁に開設された第１集音孔へ向けられると共に、第２集音面は前記ケーシングの背面壁に開設された第２集音孔に向けられている請求項１に記載のマイクロフォン装置。
【請求項３】
前記ケーシングの内部には、前記一対の指向性マイクロフォンのそれぞれについて、前記ケーシングの第２集音孔から各指向性マイクロフォンの第２集音面へ至る集音空間が形成されている請求項２に記載のマイクロフォン装置。
【請求項４】
前記ケーシングの内部には、前記一対の指向性マイクロフォンを保持する第１ホルダー部と、前記一対の無指向性マイクロフォンを保持する左右一対の第２ホルダー部とによって構成されたホルダーが配備され、一対の第２ホルダー部の間に第１ホルダー部が介在しており、
前記第１ホルダー部は弾性変形が可能な上面壁及び下面壁を有し、該上面壁と下面壁には何れにも、互いに対向する位置にてＶ字状に配置された一対の矩形口が開設されている請求項１乃至請求項３の何れかに記載のマイクロフォン装置。
【請求項５】
請求項１乃至請求項４の何れかに記載のマイクロフォン装置と、該マイクロフォン装置によって取得した音声信号を記録するレコーダ本体とを具える携帯型レコーダ。
【発明の詳細な説明】
【技術分野】
【０００１】
本発明は、マイクロフォン装置及びこれを具えた携帯型レコーダに関する。
【背景技術】
【０００２】
従来から、携帯型レコーダは、レコーダ本体と、レコーダ本体に録音すべき音声信号を取得するマイクロフォン装置とを具えている。マイクロフォン装置としては、集音方向に関して指向性が低い無指向性マイクロフォンや、集音方向に関して高い指向性を有する指向性マイクロフォンなどが知られている。無指向性マイクロフォンは、その周囲からの音を集めることが可能なマイクロフォンであり、指向性マイクロフォンは、集音の目的とする対象からの音を集中的に集めることが可能なマイクロフォンである。
【０００３】
集音の目的とする対象からの音を高い音質で取得すべく、複数の指向性マイクロフォンをマイクロフォン装置に配備することが提案されている。例えば、特許文献１に開示の携帯型レコーダでは、左右一対の指向性マイクロフォンを逆Ｖ字状に配備することによって、ＸＹ型の指向性ステレオマイクが構成されている。これにより、左右一対の指向性マイクロフォンが、集音の目的とする対象からの音を同じ位相と感度で捉えることとなり、その結果、集音の目的とする対象からの音が高い音質で取得されることとなる。
【特許文献１】特開２００７−４３５１０号公報
【発明の開示】
【発明が解決しようとする課題】
【０００４】
しかし、特許文献１に開示の携帯型レコーダでは、会議やグループインタビューのときの様に机上において周囲からの音を録音する場合、周囲からの音を最適な音質で録音することが出来ないという問題がある。
【０００５】
かかる問題を解決すべく、左右一対の指向性マイクロフォンの他に、左右一対の無指向性マイクロフォンをもマイクロフォン装置に配備することが考えられる。しかし、これら４つのマイクロフォンをマイクロフォン装置に配備すると、マイクロフォン装置が大型化してしまう。
【０００６】
そこで本発明の目的は、集音の目的とする対象からの音と周囲からの音の両方を集めることが可能で且つコンパクトなマイクロフォン装置、及びそれを具えた携帯型レコーダを提供することである。
【課題を解決するための手段】
【０００７】
本発明に係るマイクロフォン装置は、ケーシング（３）の内部に、集音方向に関して高い指向性を有する左右一対の指向性マイクロフォン（２１，２２）と、集音方向に関して指向性の低い左右一対の無指向性マイクロフォン（２３，２４）とを収容して構成される。
【０００８】
上記マイクロフォン装置において、前記一対の無指向性マイクロフォン（２３，２４）は、それらの集音方向が前記ケーシング（３）の両側面壁（３Ｃ，３Ｄ）から外側へ向く様に配備される一方、前記一対の指向性マイクロフォン（２１，２２）は、それらの集音方向が前記ケーシング（３）の前面壁（３Ａ）から外側へ向くと共に該前面壁（３Ａ）の近傍で互いに交差する様に配備されている。
前記一対の無指向性マイクロフォン（２３，２４）によって挟まれた空間に、前記一対の指向性マイクロフォン（２１，２２）の全部若しくは一部が収容されている。
【０００９】
上記マイクロフォン装置によれば、一対の指向性マイクロフォン（２１，２２）は、それらの集音方向がケーシング（３）の前面壁（３Ａ）の近傍で互いに交差する様に配備されているので、左右一対の指向性マイクロフォン（２１，２２）は、集音の目的とする対象からの音を同じ位相と感度で捉えることが出来る。従って、集音の目的とする対象からの音を高い音質で取得すること出来る。
【００１０】
一方、一対の無指向性マイクロフォン（２３，２４）は、それらの集音方向がケーシング（３）の両側面壁（３Ｃ，３Ｄ）から外側へ向く様に配備されているので、一対の無指向性マイクロフォン（２３，２４）によって、マイクロフォン装置の周囲からの音を集めることが出来る。従って、会議やグループインタビューのときの様に机上において周囲からの音を録音する場合でも、周囲からの音を最適な音質で取得することが出来る。
【００１１】
しかも、一対の無指向性マイクロフォン（２３，２４）によって挟まれた空間に、一対の指向性マイクロフォン（２１，２２）の全部若しくは一部が収容されているので、ケーシング（３）の内部には、一対の指向性マイクロフォン（２１，２２）と一対の無指向性マイクロフォン（２３，２４）とがコンパクトに収容されている。
【００１２】
具体的構成において、前記一対の指向性マイクロフォン（２１，２２）はそれぞれ、互いに逆方向を向いた第１集音面（２１１，２２１）と第２集音面（２１２，２２２）とを有し、第１集音面（２１１，２２１）は前記ケーシング（３）の前面壁（３Ａ）に開設された第１集音孔（４１）へ向けられると共に、第２集音面（２１２，２２２）は前記ケーシング（３）の背面壁（３Ｂ）に開設された第２集音孔（４２，４３）に向けられている。
【００１３】
より具体的な構成において、前記ケーシング（３）の内部には、前記一対の指向性マイクロフォン（２１，２２）のそれぞれについて、前記ケーシング（３）の第２集音孔（４２，４３）から各指向性マイクロフォン（２１，２２）の第２集音面（２１２，２２２）へ至る集音空間（６２，６３）が形成されている。
【００１４】
上記具体的構成によれば、指向性マイクロフォン（２１，２２）において、第１集音面（２１１，２２１）で集めた音に含まれている側方及び後方の音を、第２集音面（２１２，２２２）で集めた側方及び後方の音によって打ち消すことにより、集音方向からの音のみを高い音質で取得することが出来る。
【００１５】
他の具体的な構成において、前記ケーシング（３）の内部には、前記一対の指向性マイクロフォン（２１，２２）を保持する第１ホルダー部（５１）と、前記一対の無指向性マイクロフォン（２３，２４）を保持する左右一対の第２ホルダー部（５２，５３）とによって構成されたホルダー（５）が配備され、一対の第２ホルダー部（５２，５３）の間に第１ホルダー部（５１）が介在している。
前記第１ホルダー部（５１）は弾性変形が可能な上面壁（５１１）及び下面壁（５１２）を有し、該上面壁（５１１）と下面壁（５１２）には何れにも、互いに対向する位置にてＶ字状に配置された一対の矩形口が開設されている。
【００１６】
上記具体的構成によれば、上面壁（５１１）と下面壁（５１２）を弾性変形させて、Ｖ字状に配置されている一対の矩形口に一対の指向性マイクロフォン（２１，２２）を嵌め込むことによって、該一対の指向性マイクロフォン（２１，２２）は、それらの集音方向がケーシング（３）の前面壁（３Ａ）の近傍で互いに交差した状態で、ホルダー（５）によって保持されることとなる。
【００１７】
又、第１ホルダー部（５１）は一対の第２ホルダー部（５２，５３）の間に介在しているので、一対の第２ホルダー部（５２，５３）によって一対の無指向性マイクロフォン（２３，２４）を保持することにより、第１ホルダー部（５１）に保持される一対の指向性マイクロフォン（２１，２２）の全部若しくは一部が、一対の無指向性マイクロフォン（２３，２４）によって挟まれた空間に収容されることとなる。
【００１８】
よって、ホルダー（５）を用いることにより、一対の指向性マイクロフォン（２１，２２）及び一対の無指向性マイクロフォン（２３，２４）をケーシング（３）内の所定の位置に配置することが容易になる。
【００１９】
本発明に係る携帯型レコーダは、上記マイクロフォン装置（２）と、該マイクロフォン装置（２）によって取得した音声信号を記録するレコーダ本体（１）とを具える。
【発明の効果】
【００２０】
本発明によれば、集音の目的とする対象からの音と周囲からの音の両方を集めることが可能になると共に、マイクロフォン装置がコンパクトになる。
【発明を実施するための最良の形態】
【００２１】
以下、本発明の実施の形態につき、図面に沿って具体的に説明する。
本発明の一実施形態に係る携帯型レコーダは、図１乃至図３に示す如く、レコーダ本体１とマイクロフォン装置２とを具える。レコーダ本体１は、マイクロフォン装置２によって取得した音声信号を記録するためのものであり、レコーダ本体１には、録音の開始や停止を操作するためのボタン１１や、レコーダ本体１の動作状況や録音時間などを表示する表示画面１２などが配備されている。
【００２２】
マイクロフォン装置２は、図４に示す如くケーシング３を具え、ケーシング３の内部には、図５に示す如く、左右一対の指向性マイクロフォン２１，２２と左右一対の無指向性マイクロフォン２３，２４とが収容されている。
【００２３】
ケーシング３は、前面壁３Ａ、背面壁３Ｂ、及び両側面壁３Ｃ，３Ｄが一体に形成された第１ケーシング部３１と、上面壁３Ｅを有する第２ケーシング部３２と、下面壁３Ｆを有する第３ケーシング部３３とから構成されている。
【００２４】
そして、第１ケーシング部３１に対して、上方から第２ケーシング部３２を取付けると共に下方から第３ケーシング部３３を取り付けることにより、ケーシング３が構成され、該ケーシング３の内部には、一対の指向性マイクロフォン２１，２２と一対の無指向性マイクロフォン２３，２４を収容するための空間が形成されることとなる。
【００２５】
左右一対の無指向性マイクロフォン２３，２４はそれぞれ、図６に示される集音方向Ｃ，Ｄに関して指向性が低いマイクロフォンであり、それらの集音方向Ｃ，Ｄがケーシング３の両側面壁３Ｃ，３Ｄから外側に向く様に、ケーシング３の内部に配備されている。
【００２６】
一方、左右一対の指向性マイクロフォン２１，２２はそれぞれ、図６に示される集音方向Ａ，Ｂに関して高い指向性を有するマイクロフォンである。具体的には、指向性マイクロフォン２１は、互いに逆方向を向いた第１集音面２１１と第２集音面２１２を有しており、第１集音面２１１で集めた音に含まれている側方及び後方の音を、第２集音面２１２で集めた側方及び後方の音によって打ち消すことにより、前方（集音方向Ａ）からの音のみを高い音質で取得することが出来る。同様に、指向性マイクロフォン２２は、互いに逆方向を向いた第１集音面２２１と第２集音面２２２を有しており、第１集音面２２１で集めた音に含まれている側方及び後方の音を、第２集音面２２２で集めた側方及び後方の音によって打ち消すことにより、前方（集音方向Ｂ）からの音のみを高い音質で取得することが出来る。
【００２７】
一対の指向性マイクロフォン２１，２２は、図６に示される様に、それらの一部が一対の無指向性マイクロフォン２３，２４によって挟まれた空間に収容されている。しかも、一対の指向性マイクロフォン２１，２２は、それらの集音方向Ａ，Ｂがケーシング３の前面壁３Ａから外側へ向くと共に該前面壁３Ａの近傍で互いに交差する様に、ケーシング３の内部に配置されている。即ち、一対の指向性マイクロフォン２１，２２によって、ＸＹ型の指向性ステレオマイクが構成されている。
尚、図７では、一対の指向性マイクロフォン２１，２２と一対の無指向性マイクロフォン２３，２４の配置関係が斜視図によって示されている。
【００２８】
更にケーシング３の内部には、図５に示される様に、一対の指向性マイクロフォン２１，２２と一対の無指向性マイクロフォン２３，２４とを保持するホルダー５が配備されている。ホルダー５は、一対の指向性マイクロフォン２１，２２を保持する第１ホルダー部５１と、一対の無指向性マイクロフォン２３，２４を保持する一対の第２ホルダー部５２，５３とによって構成されており、一対の第２ホルダー部５２，５３の間には第１ホルダー部５１が介在している。
【００２９】
第１ホルダー部５１は、図５及び図９に示される様に、弾性変形が可能な上面壁５１１及び下面壁５１２を有し、上面壁５１１にはＶ字状に配置された一対の矩形口５１１ａ，５１１ｂが開設される一方、下面壁５１２にもＶ字状に配置された一対の矩形口５１２ａ，５１２ｂが開設されている。
【００３０】
上面壁５１１に形成されている矩形口５１１ａには、下面壁５１２に形成されている矩形口５１２ａが対応しており、これらの矩形口５１１ａ，５１２ａは互いに対向する位置に配置されている。又、上面壁５１１に形成されている矩形口５１１ｂには、下面壁５１２に形成されている矩形口５１２ｂが対応し、これらの矩形口５１１ｂ，５１２ｂは互いに対向する位置に配置されている。
【００３１】
図６に示される様に、一対の第２ホルダー５２，５３にはそれぞれ、一対の無指向性マイクロフォン２３，２４を収容するための収容室５２１，５３１が形成されており、ホルダー５がケーシング３の内部に配置された状態でケーシング３の両側面壁３Ｃ，３Ｄに対向する位置に、該収容室５２１，５３１に通じる貫通孔５２２，５３２が形成されている。
【００３２】
上記ホルダー５に一対の指向性マイクロフォン２１，２２を保持する場合、上面壁５１１と下面壁５１２を弾性変形させて、対応する矩形口５１１ａと矩形口５１２ａに指向性マイクロフォン２１を嵌め込み、対応する矩形口５１１ｂと矩形口５１２ｂに指向性マイクロフォン２２を嵌め込む。これにより、一対の指向性マイクロフォン２１，２２は、それらの集音方向Ａ，Ｂがケーシング３の前面壁３Ａの近傍で互いに交差した状態で、ホルダー５によって保持されることとなる（図６参照）。
【００３３】
一方、上記ホルダー５に一対の無指向マクロフォン２３，２４を保持する場合、一対の第２ホルダー５２，５３に形成されている収容室５２１，５３１のそれぞれに、該一対の無指向性マイクロフォン２３，２４を収容する。このとき、一対の無指向マイクロフォン２３，２４は、それらの集音面２３１，２４１が一対の第２ホルダー５２，５３に形成されている貫通孔５２２，５３２から覗く様に配置される（図６参照）。
【００３４】
上記ホルダー５においては、第１ホルダー部５１は一対の第２ホルダー部５２，５３の間に介在しているので、第１ホルダー部５１に保持された一対の指向性マイクロフォン２１，２２は、その一部が一対の無指向性マイクロフォン２３，２４によって挟まれた空間に収容されることとなる。
【００３５】
よって、ホルダー５を用いることにより、一対の指向性マイクロフォン２１，２２及び一対の無指向性マイクロフォン２３，２４をケーシング３内の所定の位置に配置することが容易になっている。
【００３６】
上述した一対の指向性マイクロフォン２１，２２の配置によれば、ケーシング３の内部には、図６に示される様に、両方の第１集音面２１１，２２１に沿う第１集音空間６１と、第２集音面２１２，２２２のそれぞれに沿う第２集音空間６２，６３とが形成されることとなる。
【００３７】
ケーシング３の前面壁３Ａには、図４及び図６に示される様に、外部から第１集音空間６１に通じる第１集音孔４１が開設されており、一対の指向性マイクロフォン２１，２２の第１集音面２１１，２２１は、第１集音孔４１に向けられている。これにより、第１集音孔４１から入った音は、第１集音空間６１を経て各指向性マイクロフォン２１，２２の第１集音面２１１，２２１に至ることとなる。
【００３８】
ケーシング３の背面壁３Ｂには、図６及び図８に示される様に、外部から第２集音空間６２，６３のそれぞれに通じる第２集音孔４２，４３が開設されており、一対の指向性マイクロフォン２１，２２の第２集音面２１２，２２２はそれぞれ、第２集音孔４２，４３に向けられている。これにより、第２集音孔４２，４３のそれぞれから入った音は、第２集音空間６２，６３を経て各指向性マイクロフォン２１，２２の第２集音面２１２，２２２に至ることとなる。
【００３９】
更に、ケーシング３の両側面壁３Ｃ，３Ｄのそれぞれには、図６及び図８に示される様に、外部から第２ホルダー５２，５３の収容室５２１，５３１に通じる第３集音孔４４，４５が形成されており、一対の無指向性マイクロフォン２３，２４の集音面２３１，２４１はそれぞれ、第３集音孔４４，４５に向けられている。これにより、第３集音孔４４，４５のそれぞれから入った音は、各無指向性マイクロフォン２３，２４の集音面２３１，２４１に至ることとなる。
【００４０】
尚、ケーシング３の下面壁３Ｆにも、図８に示される様に、外部から第２集音空間６２，６３のそれぞれに通じる集音孔４２１，４３１が形成されている。よって、一対の指向性マイクロフォン２１，２２の第２集音面２１２，２２２に、側方からの音を集めることが出来る。従って、第１集音面２１１，２２１で取得した音から側方の音が確実に取り除かれ、その結果、各指向性マイクロフォン２１，２２の集音方向Ａ，Ｂに関する指向性が高まることとなる。
又、ケーシング３の背面壁３Ｂにも、図６及び図８に示される様に、外部から第２ホルダー５２，５３の収容室５２１，５３１のそれぞれに通じる集音孔４４１，４５１が形成されている。これにより、周囲の音が、一対の無指向性マイクロフォン２３，２４に集まり易くなっている。
【００４１】
上述したマイクロフォン装置２及びそれを具えた携帯型レコーダによれば、一対の指向性マイクロフォン２１，２２は、それらの集音方向Ａ，Ｂがケーシング３の前面壁３Ａの近傍で互いに交差する様に配備されているので、左右一対の指向性マイクロフォン２１，２２は、集音の目的とする対象からの音を同じ位相と感度で捉えることが出来る。従って、集音の目的とする対象からの音を高い音質で取得すること出来る。
【００４２】
一方、一対の無指向性マイクロフォン２３，２４は、それらの集音方向Ｃ，Ｄがケーシング３の両側面壁３Ｃ，３Ｄから外側へ向く様に配備されているので、一対の無指向性マイクロフォン２３，２４によって、マイクロフォン装置２の周囲からの音を集めることが出来る。従って、会議やグループインタビューのときの様に机上において周囲からの音を録音する場合でも、周囲からの音を最適な音質で取得することが出来る。
【００４３】
尚、本実施の形態に係る携帯型レコーダでは、マイクロフォン装置２がレコーダ本体１の先端に取り付けられており、レコーダ本体１とマイクロフォン装置２とはヒンジによって連結されている。マイクロフォン装置２は、図１に示される様にヒンジを広げることによりレコーダ本体１の先端の前方位置に配置されることとなる一方、図１０に示される様にヒンジを折り曲げることによりレコーダ本体１の先端の上方位置に配置されることとなる。
例えば、集音の目的とする対象から音を録音する場合には、マイクロフォン装置２はレコーダ本体１の先端の前方位置に配置される（図１）。一方、会議やグループインタビューのときの様に机上において周囲からの音を録音する場合には、マイクロフォン装置２はレコーダ本体１の先端の上方位置に配置される（図１０）。
【００４４】
又、本実施の形態においては、一対の無指向性マイクロフォン２３，２４によって挟まれた空間に、一対の指向性マイクロフォン２１，２２の一部が収容されているので、ケーシング３の内部には、一対の指向性マイクロフォン２１，２２と一対の無指向マイクロフォン２３，２４とがコンパクトに収容されている。
【００４５】
尚、本発明の各部構成は上記実施の形態に限らず、特許請求の範囲に記載の技術的範囲内で種々の変形が可能である。例えば、一対の指向性マイクロフォン２１，２２は、それらの全部が一対の無指向性マイクロフォン２３，２４によって挟まれた空間に収容される様に配備されてもよい。
又、ケーシング３に開設されている集音孔の開設位置は、上記実施の形態に限られるものではない。例えば、第２集音空間６２，６３に通じる集音孔をケーシング３の上面壁３Ｅ（図４参照）に形成してもよい。
【図面の簡単な説明】
【００４６】
【図１】本発明の一実施形態に係る携帯型レコーダを示す斜視図である。
【図２】該携帯型レコーダを表示画面側から見た平面図である。
【図３】該携帯型レコーダを表示画面とは逆側から見た平面図である。
【図４】マイクロフォン装置を前面壁側から見た斜視図である。
【図５】該マイクロフォン装置の、前面壁側から見た分解斜視図である。
【図６】図４に示されるVI−VI線に沿う断面図である。
【図７】一対の指向性マイクロフォンと一対の無指向性マイクロフォンの配置を説明する斜視図である。
【図８】該マイクロフォン装置を背面壁側から見た斜視図である。
【図９】該マイクロフォン装置の、背面壁型から見た分解斜視図である。
【図１０】該携帯型レコーダの使用の形態を示す斜視図である。
【符号の説明】
【００４７】
１  レコーダ本体
２  マイクロフォン装置
２１，２２  指向性マイクロフォン
２１１，２２１  第１集音面
２１２，２２２  第２集音面
２３，２４  無指向性マイクロフォン
３  ケーシング
３Ａ  前面壁
３Ｂ  背面壁
３Ｃ，３Ｄ  両側面壁
３Ｅ  上面壁
３Ｆ  下面壁
４１  第１集音孔
４２，４３  第２集音孔
５  ホルダー
５１  第１ホルダー部
５１１  上面壁
５１１ａ，５１１ｂ  一対の矩形口
５１２  下面壁
５１２ａ，５１２ｂ  一対の矩形口
５２  第２ホルダー部
６１  第１集音空間
６２，６３  第２集音空間
Ａ〜Ｄ  集音方向
【図１】
2010114580.tif 000003
【図２】
2010114580.tif 000004
【図３】
2010114580.tif 000005
【図４】
2010114580.tif 000006
【図５】
2010114580.tif 000007
【図６】
2010114580.tif 000008
【図７】
2010114580.tif 000009
【図８】
2010114580.tif 000010
【図９】
2010114580.tif 000011
【図１０】
2010114580.tif 000012